(57)【特許請求の範囲】
【請求項１】
マンホール内に設置され、直管状の縦管本体内に螺旋案内路が設けられた縦管の上端の接続部に、流入枡を介して流入管を接続する縦管への流入管の接続方法であって、
この接続方法は、
流入枡として、一側方に流入管挿通孔が設けられると共に下方に挿口が設けられたものを用い、
この流入枡の挿口に、やり取り接続部を上下動自在に設け、
やり取り接続部を上方に移動させた状態で、流入枡における流入管挿通孔内に流入管を挿通すると共に、やり取り接続部を縦管の上端の接続部に対峙させ、
やり取り接続部を下方に移動させることによって、流入枡の挿口と縦管の上端の接続部とをやり取り接続することを特徴とする縦管への流入管の接続方法。
【請求項２】
マンホール内に設置され、直管状の縦管本体内に螺旋案内路が設けられた縦管の上端の接続部に、流入枡を介して流入管を接続する縦管への流入管の接続方法であって、
この接続方法は、
流入枡として、一側方に流入管挿通孔が設けられると共に下方に挿口が設けられたものを用い、
縦管の上端の接続部に、やり取り接続部を上下動自在に設け、
やり取り接続部を下方に移動させた状態で、流入枡における流入管挿通孔内に流入管を挿通すると共に、やり取り接続部を流入枡の挿口に対峙させ、
やり取り接続部を上方に移動させることによって、流入枡の挿口と縦管の上端の接続部とをやり取り接続することを特徴とする縦管への流入管の接続方法。
【発明の詳細な説明】
【０００１】
【発明の属する技術分野】
本発明は、マンホール内に設置された自然流下式の垂直下水管路に使用して好適な縦管への流入管接続構造に関するものである。
【０００２】
【従来の技術】
従来、例えば、実開平４−５３８４２号公報に記載されているように、マンホールの側壁からマンホール内に突出された流入管の一端に曲り管を介して縦管の上端を接続し、縦管の下端をマンホール内の底部に設置して、流入管によりマンホール内に流入された下水を縦管によりマンホール内の底部に導入する方法が知られている。
【０００３】
しかしながら、マンホール内に設けられた縦管が長い場合には、縦管下端から流出される下水の落下衝撃が大きいためにマンホールの底部を損傷するおそれがある。
【０００４】
そこで、例えば、特開平８−４１９１５号公報に記載され、図１２に示すように、縦管本体ａ内面に沿って上端から下端まで螺旋状に形成された屈曲流下路が設けられた下水道用縦管が提案されている。
この下水道用縦管は、上端に十字型継手ｂが接続され、その十字型継手ｂを介してマンホールｃ内に導入された流入管ｄの一端が接続されて、流入管ｄ内の下水は十字型継手ｂを経由して下水道用縦管内に導入されるようになっている。
【０００５】
しかしながら、この下水道用縦管では、管路内に下水中の固形物が詰まった場合の対応が難しいという問題点がある。
【０００６】
この問題を解決するため、十字型継手ｂの代わりに、縦管への流入管の接続箇所で縦管よりも内空を広くした流入枡を使用することが考えられるが、従来の流入枡は、側方にゴム輪付き流入管挿通孔が設けられ、下方に挿口が設けられたものであるために、側方のゴム輪付き流入管挿通孔内にマンホール内に突出する流入管の端部を挿通する作業と、下方の挿口を縦管の上端に設けられた受口に挿入する作業とを同時に行うことができないので、流入枡を介して縦管に流入管を接続することができないという問題点がある。
【０００７】
【発明が解決しようとする課題】
本発明は、上記の様な従来の問題点を解消し、管路内に固形物が詰まったときの修復を簡単に行うことができ、かつ、縦管への流入管の接続作業を施工性よく行うことができる縦管への流入管の接続方法を提供することを目的としてなされたものである。
【０００８】
【課題を解決するための手段】
本願の請求項１に記載の発明（本発明１）は、マンホール内に設置され、直管状の縦管本体内に螺旋案内路が設けられた縦管の上端の接続部に、流入枡を介して流入管を接続する縦管への流入管の接続方法であって、この接続方法は、流入枡として、一側方に流入管挿通孔が設けられると共に下方に挿口が設けられたものを用い、この流入枡の挿口に、やり取り接続部を上下動自在に設け、やり取り接続部を上方に移動させた状態で、流入枡における流入管挿通孔内に流入管を挿通すると共に、やり取り接続部を縦管の上端の接続部に対峙させ、やり取り接続部を下方に移動させることによって、流入枡の挿口と縦管の上端の接続部とをやり取り接続することを特徴とする縦管への流入管の接続方法である。
【０００９】
本願の請求項２に記載の発明（本発明２）は、マンホール内に設置され、直管状の縦管本体内に螺旋案内路が設けられた縦管の上端の接続部に、流入枡を介して流入管を接続する縦管への流入管の接続方法であって、この接続方法は、流入枡として、一側方に流入管挿通孔が設けられると共に下方に挿口が設けられたものを用い、縦管の上端の接続部に、やり取り接続部を上下動自在に設け、やり取り接続部を下方に移動させた状態で、流入枡における流入管挿通孔内に流入管を挿通すると共に、やり取り接続部を流入枡の挿口に対峙させ、やり取り接続部を上方に移動させることによって、流入枡の挿口と縦管の上端の接続部とをやり取り接続することを特徴とする縦管への流入管の接続方法である。
【００１０】
【作用】
本発明１の縦管への流入管の接続方法は、前記流入枡として、流入枡本体の一側方にゴム輪付き流入管挿通孔が設けられ、該流入枡本体の下方に前記縦管本体の上端の接続部へのやり取り接続部が設けられたものを用いて、該流入枡が、そのゴム輪付き流入管挿通孔内にマンホール内に突出する流入管の端部を挿通した状態にて、固定具にてマンホールの壁内に固定され、該流入枡の前記やり取り接続部が前記縦管本体の上端の接続部にやり取り接続されていることにより、流入枡を、そのやり取り接続部が縦管の上端の接続部の上縁の障害とならない状態にて、流入管の方に水平移動させて、そのゴム輪付き流入管挿通孔内に流入管の端部を挿通するとともに、縦管の上端の接続部の上方に移動させた後、そのやり取り接続部を縦管の接続部にやり取り接続することができるので、接続作業をスムーズに行うことができ、又、管路に固形物が詰まったときには、流入枡を簡単に取り外して固形物を除去することができるので、その修復を簡単に行うことができる。
【００１１】
本発明２の縦管への流入管の接続方法は、前記流入枡として、流入枡本体の一側方にゴム輪付き流入管挿通孔が設けられ、該流入枡本体の下方に前記縦管本体の上端のやり取り接続部へとの接続部が設けられたものを用いて、該流入枡が、そのゴム輪付き流入管挿通孔内にマンホール内に突出する流入管の端部を挿通した状態にて、固定具にてマンホールの壁内に固定され、前記縦管本体の上端のやり取り接続部が前記流入枡の接続部にやり取り接続されていることにより、縦管の上端のやり取り接続部が流入枡の下方の接続部の障害とならない状態にて、流入枡を流入管の方に水平移動させて、そのゴム輪付き流入管挿通孔内に流入管の端部を挿通するとともに、縦管の上端の接続部の上方に移動させることができ、その後、縦管の上端のやり取り接続部を流入枡の下方の接続部にやり取り接続することができるので、接続作業をスムーズに行うことができ、又、管路内に固形物が詰まったときには、流入枡を簡単に取り外して固形物を除去することができるので、その修復を簡単に行うことができる。
【００１２】
【発明の実施の形態】
以下、本発明の実施の形態を図面を参照して説明する。本発明の縦管への流入管の接続方法の一例を図１〜図５を参照して説明する。図１において、１０は、本発明に使用される、マンホール内に立設される縦管の一例であって、縦管本体１１と、空気芯筒１３と、螺旋案内路１２，１２′とからなる。
【００１３】
縦管本体１１の上端には、受口（接続部）１１１が設けられている。
縦管本体１１内の上部には、略中心部に、内部が中空とされたＦＲＰ製の空気芯筒１３が立設されている。
縦管本体１１の内周面と、空気芯筒１３の外周面との間（図中Ｌ１区間）に、ＦＲＰ製の第１の螺旋案内路１２が配設されている。螺旋案内路１２の内周面は、空気芯筒１３の外周面に一体的に取り付けられている。
【００１４】
縦管本体１１の下端には、流出管１５が接続されており、流出管１５の管頂のやや上方の縦管本体１１の内部（図中Ｌ３区間）には、ＦＲＰ製の第２の螺旋案内路１２′が配設されている。
第２の螺旋案内路１２′には、空気芯筒は取り付けられていない。
縦管本体１１の内部の第１の螺旋案内路１２と第２の螺旋案内路１２′間（図中Ｌ２区間）には、螺旋案内路は設けられていない。
【００１５】
図２において、２０は本発明に使用される流入枡の一例であって、流入枡本体２３の一側方にゴム輪付き流入管挿通孔２１が設けられ、流入枡本体２３下方に、縦管本体１１の上端の受口１１１へのやり取り接続部２２が設けられているものからなる。
【００１６】
流入枡２０の一側方に設けられたゴム輪付き流入管挿通孔２１は、流入管の外径よりもやや大きな内径を有する挿通孔２１１の周囲壁の内縁に、流入管の外径よりやや小さな内径の貫通孔を有するゴム輪２１２が装着されているものからなる。ゴム輪２１２は、流入管を挿通したときの拡径時の弾性力により流入管の外周面を圧接しつつシールすることができるようになっている。
【００１７】
流入枡２０の下方に設けられたやり取り接続部２２は、流入枡本体２３の下端に設けられた第１の挿口２２１に、ソケット２２２の上端に設けられた受口２２０ａがゴム輪２２３を介して上下動自在に接続され、ソケット２２２の下端に第２の挿口２２２ｂが設けられたものからなる。
【００１８】
本発明の縦管への流入管の接続方法の一例では、図３に示すように、流入枡２０の下方に設けられたやり取り接続部２２を、ソケット２２２を上方に移動させた状態にしておく。その状態の流入枡２０を、マンホール３０内に突出するように設けられた流入管４０の端部の方に水平移動させていって、そのゴム輪付き流入管挿通孔２１内に流入管４０の端部を挿通するとともに、やり取り接続部２２を縦管１０の上端の受口１１１の上方に所定間隔をあけて対峙させた状態とされ、図４に示すように、流入枡２０をバンド（固定具）５０にてマンホール３０の壁内に固定される。
【００１９】
この際、流入枡２０の下方のやり取り接続部２２は、そのソケット２２２を上方に移動させた状態としてあるので、縦管１０の上端の受口１１１の上縁が障害となることがなく、やり取り接続部２２を縦管１０の上端の受口１１１の上方に所定間隔をあけて対峙させた状態とする作業をスムーズに行うことができる。
又、ゴム輪付き流入管挿通孔２１に設けられたゴム輪２１２は、拡径時の弾性力により流入管４０の外周面を圧接シールした状態となる。
【００２０】
そして、図５に示すように、流入枡２０の下方のやり取り接続部２２のソケット２２２を下方に移動させて、その第２の挿口２２２ｂを縦管１０の上端の受口１１１にゴム輪を介して接続される。
【００２１】
これにより、図５に示すように、流入枡２０が、そのゴム輪付き流入管挿通孔２１１内にマンホール３０内に突出する流入管４０の端部を挿通した状態となして、固定具にてマンホール３０の壁内に固定され、流入枡４０のやり取り接続部２２が縦管本体１１の上端の受口１１１にやり取り接続された、本発明の縦管への流入管の接続方法による接続構造の一例が形成される。
【００２２】
次に、本発明の縦管への流入管の接続方法の別の例を図６〜図８を参照して説明する。この例では、図６に示すように、縦管５０として、縦管本体５１の上端には、挿口（接続部）５１１が設けられており、挿口５１１の下端の外周に、やり取り接続部のストッパー部５１２が設けられているものを用いること以外は、図１を参照して説明したのと同様のものを使用する。ストッパー５１２は、やり取り接続部がその重力により下方に落下するのを防ぐためのものである。
【００２３】
又、図６に示すように、流入枡６０として、以下に説明するやり取り接続部６２が設けられていること以外は図２を参照して説明したのと同様のものを用いる。
流入枡６０の下方のやり取り接続部６２は、流入枡本体６３の下端に設けられた挿口６２１に、ソケット６２２の上端に設けられた第１の受口６２２ａがゴム輪６２３を介して上下動自在に接続され、ソケット６２２の下端に第２の受口６２２ｂが設けられたものからなる。
【００２４】
この例では、図７に示すように、流入枡６０の下方に設けられたやり取り接続部６２を、ソケット６２２を上方に移動させた状態にしておいて、流入枡６０を水平移動させて、そのやり取り接続部６２の挿口６２１を縦管５０の上端の挿口５１１の上方に接触するように対峙させた状態となすこと以外は、図３及び図４を参照して説明したのと同様である。
【００２５】
図８に示すように、流入枡６０の下方のやり取り接続部６２のソケット６２２をその下端面が縦管本体５１のストッパー部５１２に当接するまで下方に移動させて、その第２の受口６２２ｂを縦管５０の上端の挿口５１１にゴム輪を介して接続し、縦管５０へ流入管が接続される。
【００２６】
これにより、流入枡が、そのゴム輪付き流入管挿通孔内にマンホール内に突出する流入管の端部を挿通した状態となして、固定具にてマンホールの壁内に固定され、流入枡６０のやり取り接続部６２が縦管本体５１の上端の挿口５１１にやり取り接続された縦管への流入管の接続方法による接続構造の別の例が形成される。
【００２７】
次に、本発明の縦管への流入管の接続方法の更に別の例を図９〜図１１を参照して説明する。この例では、図９に示すように、縦管７０として、縦管本体７１の上端には、やり取り挿口（接続部）７１１が設けられており、縦管本体７１の上端からやり取り移動長さ分だけ下がった外周にストッパー７１２が設けられていること以外は、図１を参照して説明したのと同様のものを用いる。そのやり取り挿口７１１は、挿口７１１ａにソケット７１１ｂの下端に設けられた第１の受口がゴム輪７１１ｃを介して上下動自在に接続され、ソケット７１１ｂの上端に第２の受口が設けられたものからなる。又、図９に示すように、流入枡８０として、挿口（接続部）８２だけが設けられていること以外は図２を参照して説明したのと同様のものを用いる。
【００２８】
この例では、図１０に示すように、縦管７０の上端に設けられたやり取り接続部７１１を、ソケット７１１ｂを下方に移動させた状態にしておいて、流入枡８０を水平移動させて、その挿口８２を縦管７０のやり取り接続部７１１の挿口７１１ａの上方に接触するように対峙させた状態となすこと以外は、図３及び図４を参照して説明したのと同様である。
【００２９】
そして、図１１に示すように、縦管７０の上端のやり取り挿口７１１に設けられたソケット７１１ｂを上方に移動させて、流入枡８０の下方の挿口８２にゴム輪を介してやり取り接続される。
【００３０】
これにより、流入枡８０が、そのゴム輪付き流入管挿通孔内にマンホール内に突出する流入管の端部を挿通した状態となして、固定具にてマンホールの壁内に固定され、縦管本体７１の上端のやり取り接続部７１１が流入枡８０の挿口８２にやり取り接続された縦管への流入管の接続方法による接続構造の更に別の例が形成される。
【００３１】
【発明の効果】
本発明の縦管への流入管の接続方法は、上記のとおりの構成とされているので、縦管への流入管の接続作業を施工性よく行うことができ、かつ、管路内に固形物が詰まったときの修復を簡単に行うことができる。
【図面の簡単な説明】
【図１】本発明の縦管への流入管の接続方法の一例に使用される縦管の一例を示す断面図である。
【図２】本発明の縦管への流入管の接続方法の一例に使用される流入枡の一例を示す断面図である。
【図３】本発明の縦管への流入管の接続方法の一例を説明する一部縦断面図である。
【図４】本発明の縦管への流入管の接続方法の一例を説明する一部横断面図である。
【図５】本発明の縦管への流入管の接続方法の一例を説明する一部縦断面図である。
【図６】本発明の縦管への流入管の接続方法の別の例に使用される縦管及び流入枡の一例を示す断面図である。
【図７】本発明の縦管への流入管の接続方法の別を説明する一部縦断面図である。
【図８】本発明の縦管への流入管の接続方法の別の例を説明する一部縦断面図である。
【図９】本発明の縦管への流入管の接続方法の更に別の例に使用される縦管及び流入枡の一例を示す断面図である。
【図１０】本発明の縦管への流入管の接続方法の更に別の例を説明する一部縦断面図である。
【図１１】本発明の縦管への流入管の接続方法の更に別の例を説明する一部縦断面図である。
【図１２】従来の縦管の一例を示す一部縦断面図である。
【符号の説明】
１０，５０，７０ 縦管
１１，５１，７１ 縦管本体
１２，１２′ 螺旋案内路
１３ 空気芯筒
２０，６０，８０ 流入枡
２１，６１ ゴム輪付き流入管挿通孔
２２，６２，７１１ やり取り接続部
３０ マンホール
４０ 流入管
２３，６３，８３ 流入枡本体
８２，１１１，５１１ 接続部
【図１】
0004598332.tif 000002
【図２】
0004598332.tif 000003
【図３】
0004598332.tif 000004
【図４】
0004598332.tif 000005
【図５】
0004598332.tif 000006
【図６】
0004598332.tif 000007
【図７】
0004598332.tif 000008
【図８】
0004598332.tif 000009
【図９】
0004598332.tif 000010
【図１０】
0004598332.tif 000011
【図１１】
0004598332.tif 000012
【図１２】
0004598332.tif 000013